(57)【要約】      （修正有）【課題】着崩れを防止した着付けが容易に可能であって、特に、絡げて着用することに適した浴衣を提供する。【解決手段】浴衣本体２の右前身頃の衿先に設けられた下前側腰ひも３２Ｓと、浴衣本体２の左前身頃の衿先に設けられた上前側腰ひも３１Ｓと、浴衣本体２の左後ろ身頃２３に設けられた通し穴Ｈと、を備えた浴衣であって、通し穴Ｈは、開口を有する当て布を浴衣本体２の内側に備え、当て布の開口及び浴衣本体２の開口を、重ねて篝縫いすることで形成されており、下前側腰ひも３２Ｓを通し穴Ｈに通して外側に出し、使用者の右胴部に向かって巻きつけると共に、上前側腰ひも３１Ｓを使用者の右胴部から左胴部に向かって巻きつけ、下前側腰ひも３２Ｓ及び上前側腰ひも３１Ｓを結び合わせて着用すること、を特徴とする。【選択図】図２
0003200705.tif 000002
【実用新案登録請求の範囲】
【請求項１】
浴衣本体の右前身頃の衿先に設けられた下前側腰ひもと、浴衣本体の左前身頃の衿先に設けられた上前側腰ひもと、浴衣本体の左身頃に設けられた通し穴と、を備えた浴衣であって、
前記通し穴は、開口を有する当て布を前記浴衣本体の内側に備え、前記当て布の開口及び浴衣本体の開口を、重ねて篝縫いすることで形成されており、
前記下前側腰ひもを前記通し穴に通して外側に出し、使用者の右胴部に向かって巻きつけると共に、前記上前側腰ひもを使用者の右胴部から左胴部に向かって巻きつけ、前記下前側腰ひも及び前記上前側腰ひもを結び合わせて着用すること、を特徴とする浴衣。
【請求項２】
前記当て布の外縁は、浴衣本体に固定されていないこと、を特徴とする請求項１に記載の浴衣。
【請求項３】
前記通し穴は、前記浴衣本体の後ろ身頃の背縫い側に設けられていること、を特徴とする請求項１又は請求項２に記載の浴衣。
【請求項４】
浴衣本体は、袖括りを有する袖部を備えること、を特徴とする請求項１〜３の何れかに記載の浴衣。
【請求項５】
浴衣本体と、下衣と、を備えた浴衣セットであって、
前記浴衣本体は、右前身頃の衿先に設けられた下前側腰ひもと、左前身頃の衿先に設けられた上前側腰ひもと、左後ろ身頃の背縫い側に設けられた通し穴と、を備え、
前記通し穴は、開口を有する当て布を前記浴衣本体の内側に備え、前記当て布の開口及び浴衣本体の開口を、重ねて篝縫いすることで形成されており、
下前側腰ひもを前記通し穴に通して外側に出し、使用者の右胴部に向かって巻きつけると共に、前記上前側腰ひもを使用者の右胴部から左胴部に向かって巻きつけ、前記下前側腰ひも及び前記上前側腰ひもを結び合わせて着用し、
前記下衣は、前記浴衣本体を着用した際に、裾からはみ出さない長さに形成されていること、を特徴とする浴衣セット。
【考案の詳細な説明】
【技術分野】
【０００１】
本考案は、浴衣に係わり、特に、絡げて着用する浴衣に関するものである。
【背景技術】
【０００２】
従来、和服の一種であって、簡易に着用可能な浴衣が広く親しまれている。特に、花火や縁日といった夏場の催しに際して、幅広い年代の人に着用されている。
【０００３】
浴衣は、現代人が日ごろ着用している洋服とは異なり、帯を締めることで着用される。そのため、着用者の動作などに伴って、襟や帯の形が崩れる。そうした着崩れを直す作業は非常に煩雑であり、催しの場以外で日常的に浴衣を着用する者の増加に歯止めをかけていた。
【０００４】
このような不具合に対応するために、例えば、着物本体の左脇部に形成された通し穴に、下前側から伸びる腰ひもを通過させ、上前側から伸びる腰ひもと結び合わせることで、簡易に着付けが可能であり、着崩れを防止した着物が知られている（特許文献１）。
【先行技術文献】
【特許文献】
【０００５】
【特許文献１】特開２００３−３３６１０７号公報
【考案の概要】
【考案が解決しようとする課題】
【０００６】
しかしながら、前述した技術では、浴衣本体に設けられた通し穴を探しだし、腰ひもを通す必要があるため、着崩れを防止するための腰ひもの巻きつけが煩雑であった。
【０００７】
加えて、通し穴を介して腰ひもを締める為、通し穴に負荷がかかり、浴衣本体が損傷する恐れがある。
【０００８】
また、従来ある浴衣は、装着者が運動や、自転車の運転等の動作を行う場合には適していない。そうした動き辛さも、浴衣の普及を阻害して一つの要因と考えられる。
【０００９】
運動や運転等の動作を行う場合には、浴衣の袖を捲ったり、袖や裾を絡げ（からげ）ることが行われている。しかし、前述した技術では、浴衣の左前身頃の着崩れを直す際や、絡げた状態を直す際に、左脇部に設けられた通し穴に腰ひもの力がかかるため、特に左後ろ身頃をきれいな形に直しづらかった。
【００１０】
本考案は、上記のような実状に鑑みてなされたものであり、着崩れを防止した着付けが容易に可能であって、特に、絡げて着用することに適した浴衣を提供することを課題とする。
【課題を解決するための手段】
【００１１】
上記課題を解決するために、本考案は、浴衣本体の右前身頃の衿先（えりさき）に設けられた下前側腰ひもと、浴衣本体の左前身頃の衿先に設けられた上前側腰ひもと、浴衣本体の左身頃に設けられた通し穴と、を備えた浴衣であって、
前記通し穴は、開口を有する当て布を前記浴衣本体の内側に備え、前記当て布の開口及び浴衣本体の開口を、重ねて篝（かがり）縫いすることで形成されており、
前記下前側腰ひもを前記通し穴に通して外側に出し、使用者の右胴部に向かって巻きつけると共に、前記上前側腰ひもを使用者の右胴部から左胴部に向かって巻きつけ、前記下前側腰ひも及び前記上前側腰ひもを結び合わせて着用すること、を特徴とする。
【００１２】
このような構成とすることによって、当て布の感触を頼りに、浴衣本体に形成された通し穴を探し出すことができ、下前側腰ひもを通し穴に挿通する作業を極めて容易に行うことができる。
【００１３】
また、通し穴に腰ひもを通し締め上げて、着付けを行う際や、着崩れを直す際、裾や袖を絡げる際、裾や袖を絡げた状態から直す際など、通し穴には腰ひもによる負荷がかかるが、当て布によって通し穴の耐久性を高めることができる。
【００１４】
本考案の好ましい形態では、前記当て布の外縁は、浴衣本体に固定されていないこと、を特徴とする。
このような構成とすることによって、当て布の外縁の感触を頼りに、極めて容易に通し穴を探し出すことができる。
【００１５】
本考案の好ましい形態では、前記通し穴は、前記浴衣本体の後ろ身頃の背縫い側に設けられていること、を特徴とする。
このような構成とすることによって、腰ひもによって左後ろ身頃の大部分を締めつけることがなくなるため、従来の浴衣と遜色なく、着付けや、着崩れを直すことができる。
【００１６】
本考案の好ましい形態では、浴衣本体は、袖括りを有する袖部を備えること、を特徴とする。
このような構成とすることによって、袖部を極めて容易に捲り上げることができ、運動や腕を使った動作に適した浴衣を提供することができる。
【００１７】
本考案は、浴衣本体と、下衣と、を備えた浴衣セットであって、
前記浴衣本体は、右前身頃の衿先に設けられた下前側腰ひもと、左前身頃の衿先に設けられた上前側腰ひもと、左後ろ身頃に設けられた通し穴と、を備え、
前記通し穴は、開口を有する当て布を前記浴衣本体の内側に備え、前記当て布の開口及び浴衣本体の開口を、重ねて篝縫いすることで形成されており、
下前側腰ひもを前記通し穴に通して外側に出し、使用者の右胴部に向かって巻きつけると共に、前記上前側腰ひもを使用者の右胴部から左胴部に向かって巻きつけ、前記下前側腰ひも及び前記上前側腰ひもを結び合わせて着用し、
前記下衣は、前記浴衣本体を着用した際に、裾からはみ出さない長さに形成されていること、を特徴とする。
このような構成とすることによって、裾を絡げ、運動や自転車の運転などの足を使った動作に適した浴衣を提供することができる。
【００１８】
また、裾を絡げていない状態では、下衣が浴衣本体の裾に隠れる長さに形成されており、従来の浴衣と同様の美観を保つことができる。
【考案の効果】
【００１９】
着崩れを防止した着付けが容易に可能であって、特に、絡げて着用することに適した浴衣を提供することができる。
【図面の簡単な説明】
【００２０】
【図１】本考案の実施形態に係る浴衣セットを示す図である。
【図２】本考案の実施形態に係る浴衣本体の背面図である。
【図３】本考案の実施形態に係る通し穴周辺の部分拡大図である。図３（ａ）は当て布を縫いつける前の分解図であり、図３（ｂ）は浴衣の内側の部分拡大図であり、図３（ｃ）は浴衣の外側の部分拡大図である。
【図４】本考案の実施形態に係る浴衣本体の着用方法を示す図である。図４（ａ）は腰ひもを締めた際の正面図を示し、図４（ｂ）は腰ひもを締めた際の背面図を示す。
【図５】本考案の実施形態に係る浴衣セットを着用した状態を示す斜視図である。図５（ａ）は裾を下した状態を示す図であり、図５（ｂ）は、裾を絡げた状態を示す図である。
【考案を実施するための形態】
【００２１】
以下、本考案の実施の形態について図面を参照して説明する。
図１は本考案に係る浴衣セットを示す図である。図において符号１は、浴衣セットを示している。この浴衣セット１は、浴衣本体２と、下衣Ｕと、を備えている。また、着用時には、図示しない帯を巻きつけることで装着される。図２は、この浴衣本体２の背面図である。
【００２２】
さらに細述すれば、本実施形態においては、浴衣本体２及び下衣Ｕは、木綿地により形成されている。なお、浴衣本体２及び下衣Ｕに使用される生地には特に制限はなく、例えば、麻や絹、ポリエステルなどの種々の生地を用いてもかまわない。
【００２３】
浴衣本体２は、左前身頃２１（上前）と、右前身頃２２（下前）と、左後ろ身頃２３と、右後ろ身頃２４と、襟部３と、袖部４と、を備えている。左後ろ身頃２３と、右後ろ身頃２４と、は背縫い２５によって縫い合わされている。また、本実施形態における浴衣の丈は、着用者の踝（くるぶし）のあたりまで延びている。
【００２４】
本実施形態における下衣Ｕは、ウェスト部分にゴムが内挿され、着用者の膝から踝の間に、裾が位置するように形成されている。
【００２５】
本実施形態における袖部４には、袖括り４１が備えられており、袖括りを引っ張り結び合わせることで、袖部４の開口を狭めて袖部４を捲ることができる。
【００２６】
また、左前身頃２１（上前）側の衿先３１には、腰ひも３１Ｓ（上前側腰ひも）が設けられ、右前身頃２２（下前）側の衿先３２には、腰ひも３２Ｓ（下前側腰ひも）が設けられている。腰ひも３１Ｓ及び腰ひも３２Ｓを配置する位置は、帯を巻いた際に隠れる部分であるのが好ましい。
【００２７】
浴衣本体２の左後ろ身頃２３の背縫い２５近傍には、通し穴Ｈが備えられている。本実施形態において、通し穴Ｈと、腰ひも３１Ｓと、腰ひも３２Ｓとは、装着時に背縫い２５の長さ方向において、およそ等しい位置になるように配されている。
【００２８】
図３は、図２における通し穴Ｈ周辺の領域Ｒを拡大した部分拡大図である。図３（ａ）及び図３（ｂ）は、浴衣の内側（身体に接する側）から通し穴周辺の領域Ｒを見た際の部分拡大図であり、図３（ｃ）は浴衣の外側から通し穴周辺の領域Ｒを見たい際の部分拡大図である。
【００２９】
通し穴Ｈは、図３（ａ）に現れるように、浴衣本体に形成された通し穴２Ｈ（開口）と、当て布２６と、当て布２６に形成された通し穴２６Ｈ（開口）と、を備えている。
【００３０】
浴衣本体の内側に配置された当て布２６は、図３（ｂ）及び図３（ｃ）に現れるように、通し穴２Ｈ及び通し穴２６Ｈを篝縫いで縫い合わせることにより固定されている。本実施形態における当て布２６は、通し穴２６のみが浴衣本体と縫い合わせて固定されており、その他の部分は固定されていない。
【００３１】
図４は、本実施形態における腰ひもの締め方を示す図である。図４（ａ）は腰ひもを締めた際の正面図を示し、図４（ｂ）は腰ひもを締めた際の背面図を示す。
【００３２】
浴衣本体２を着用する手順を、図４を用いて説明する。まず、右前身頃２２の衿先３２に備えられた腰ひも３２Ｓを、左前半身から左後ろ半身にかけて、腰に沿わせて巻きつける。そして、腰ひも３２Ｓを、左後ろ半身の背縫い２５近傍で通し穴Ｈを介して外側に導き出す。
【００３３】
腰ひも３２Ｓは、そのまま右後ろ身頃２４から右前身頃２２にかけて体に巻きつけ、着用者の正面側まで持ってくる。一方、左前身頃２１の衿先３１に備えられた腰ひも３１Ｓを、右前身頃２２から、右後ろ身頃２４及び左後ろ身頃２３を介して、左前身頃２１まで巻きつけ、装着者の正面側まで持ってくる。装着者の正面側で、腰ひも３１Ｓ及び腰ひも３２Ｓを結び合わせることで、襟元の着くずれを防止することができる。
【００３４】
なお実際の装着時には、更にこの腰回りに回した腰ひも３１Ｓ及び腰ひも３２Ｓの上に帯を装着し、浴衣本体２の着付けが完了する。腰ひもは、必ずしも装着者の正面側まで持ってきて結び合わせる必要はないが、それぞれを腰に巻きつけておくことで、着崩れが効果的に防止できる。
【００３５】
図５は、着用者Ｍに浴衣セット１を着用させた状態を示す図である。図５（ａ）は、浴衣本体２を着用し、袖部４をたすき掛けして絡げた際の状態を示す図である。図５（ｂ）は、図５（ａ）の状態から、浴衣本体２の背縫い２５付近の裾を持ち上げ、着用者Ｍの背面側で帯に挟み込むことで、裾を絡げた状態を示す図である。
【００３６】
図５（ａ）に現れるように、下衣Ｕの丈の長さは、浴衣本体２の装着時の裾に隠れる長さに形成されており、裾を下した状態では見えない。一方、自転車に乗る際などは、図５（ｂ）に現れるように、裾を絡げ、脚部を自由に動かすことができる。
【００３７】
このように本実施形態の浴衣セット１によれば、浴衣本体２の内側に配置された当て布２６の感触を頼りに通し穴Ｈを探し出すことができ、腰ひも３２Ｓを通し穴Ｈに通す作業を極めて容易に行うことができる。
【００３８】
また、通し穴Ｈに腰ひもを通して締め、着付けを行う際や、着崩れを直す際、絡げる際、絡げた状態から直す際など、通し穴Ｈには腰ひもによる負荷がかかるが、当て布２６によって通し穴Ｈの耐久性を高めることができる。
【００３９】
また、腰ひもによって左後ろ身頃２３の大部分を締めつけることがなくなるため、従来の浴衣と遜色なく、着付けや、着崩れを直すことができる。
【００４０】
また、袖部４を容易に捲ることができ、運動や腕を使った動作に適した浴衣を提供することができる。加えて裾を絡げた状態では運動や自転車に乗るなどの足を使った動作に適した浴衣を提供することができる。裾を絡げていない状態では、下衣Ｕが浴衣本体２の裾に隠れる長さに形成されており、従来の浴衣と同様の美観を保つことができる。
【００４１】
なお、前記実施形態において示した各構成部材の諸形状や寸法等は一例であって、設計要求等に基づき種々変更可能である。
【産業上の利用可能性】
【００４２】
袖を捲ったり、裾を絡げることで、自転車や自動車の運転等の日常的な動作に適した浴衣を提供することができる。
【符号の説明】
【００４３】
１  浴衣セット
２  浴衣本体
２１  左前身頃
２２  右前身頃
２３  左後ろ身頃
２４  右後ろ身頃
２５  背縫い
２６  当て布
３  襟部
３１  襟先（左前身頃側）
３２  襟先（右前身頃側）
４  袖部
４１  袖括り
Ｈ、２Ｈ、２６Ｈ  通し穴
Ｍ  着用者
【図１】
0003200705.tif 000003
【図２】
0003200705.tif 000004
【図３】
0003200705.tif 000005
【図４】
0003200705.tif 000006
【図５】
0003200705.tif 000007